(57)【要約】【課題】肩ベルトで両脇部分が痛くならずに動きやすさを提供しながら姿勢を矯正できる姿勢矯正サポーターを提供すること。【解決手段】内側背当て部と、表側背当て部と、左右の肩ベルト３ａ，３ｂと、左右の肩ベルト３ａ，３ｂの表面にそれぞれ設けられ、その左右の肩ベルト３ａ，３ｂの素材より柔らかい素材からなるパッド部５ａ，５ｂと、左右のパッド部５ａ，５ｂ間に着脱自在に取付けられ、その長手方向に伸縮自在で、左右の肩ベルトの軌道を修正する軌道修正ベルト６１，６２と、内側背当て部の下部両側にそれぞれの基部が固定され、装着時に胸部また腹部周囲に巻き付けられる左右の胸ベルト４ａ，４ｂとを有する。【選択図】図５
2014204777.tif 000002
【特許請求の範囲】
【請求項１】
人体の肩部より胸部または腹部の間で装着される姿勢矯正サポーターであって、
装着時に使用者の背中に当たる内側背当て部と、
前記内側背当て部の上面側に設けられ、前記内側背当て部との間で、中央両側には中央ベルト挿通窓が形成される一方、下部両側には下部ベルト挿通窓が形成された表側背当て部と、
前記内側背当て部の上部からそれぞれ左右に伸びて肩部に掛けられ、脇の下を通って前記中央ベルト挿通窓から戻り、前記内側背当て部と前記表側背当て部との間で交差して下部ベルト挿通窓から飛び出す少なくともその長手方向に伸縮自在な弾力性を有する左右の肩ベルト、
前記左右の肩ベルトの表面にそれぞれ設けられ、その左右の肩ベルトの素材より柔らかい素材からなるパッド部と、
前記左右のパッド部間に着脱自在に取付けられ、その長手方向に伸縮自在で、左右の肩ベルトの軌道を修正する軌道修正ベルト、
前記内側背当て部の下部両側にそれぞれの基部が固定され、装着時に胸部また腹部周囲に巻き付けられる左右の胸ベルト、
を有することを特徴とする姿勢矯正サポーター。
【請求項２】
請求項１記載の姿勢矯正サポーターにおいて、
前記パッド部の表面は、面状ファスナーのメス部から構成され、
前記軌道修正ベルトは、前記左右の肩ベルト同様の素材から構成されており、その長手方向に伸縮自在な弾力性を有し、その両端部には、前記左右の肩ベルトそれぞれのパッド部表面の面状ファスナーのメス部に着脱自在な面状ファスナーのオス部が設けられていることを特徴とする姿勢矯正サポーター。
【請求項３】
請求項１または請求項２記載の姿勢矯正サポーターにおいて、
前記軌道修正ベルトは、長さが異なるものが複数本用意されていることを特徴とする姿勢矯正サポーター。
【請求項４】
請求項２または請求項３記載の姿勢矯正サポーターにおいて、
前記左右の胸ベルトの表面は、面状ファスナーのメス部を構成しており、
前記軌道修正ベルトは、前記左右のパッド部間に取付けない場合には、前記左右の胸ベルト表面の面状ファスナーのメス部に貼り付け可能であることを特徴とする姿勢矯正サポーター。
【請求項５】
請求項１〜請求項４記載の姿勢矯正サポーターにおいて、
前記内側背当て部は、当該姿勢矯正サポーターの使用者の肩甲骨の上を覆わないようにほぼ逆三角形の形状であることを特徴とする姿勢矯正サポーター。
【発明の詳細な説明】
【技術分野】
【０００１】
本発明は、人体の肩部より胸部または腹部にかけて巻き付け装着する姿勢矯正サポーターに関し、特に、ゴルフやランニング等の腕を振るスポーツに最適な姿勢矯正サポーターに関するものである。
【背景技術】
【０００２】
猫背や前屈み姿勢の習慣、持続により背筋が曲がると、姿勢やスタイルが悪くなるといった美容面ばかりでなく、肩こり、腰痛の原因となるなど健康面にも多大な影響を与える。そのため、背筋の曲がりを防止する、あるいは曲がった背筋を伸ばすことは人体にとって大いに意味のあることではあるが、常に姿勢に注意を払い背筋の伸びた正しい姿勢を維持することは容易なことではない。
【０００３】
そこで、強制的に正しい姿勢を維持させるため、例えば、図６および図７に示すように背中で交差して背中側から肩掛けされる弾性を有する左右の肩ベルト３ａ，３ｂと、左右のベルトの下端部を接着し、装着した際、胸部下周囲に巻き付けられ装着を保持する弾性を有する胸ベルト４ａ，４ｂと、左右の肩ベルト３ａ，３ｂを交差状態に保持すると共に、胸ベルト４ａ，４ｂを取り付け固定した背当て部とからなる姿勢矯正サポーター（姿勢矯正ベルト）を提案している（例えば、特許文献１参照。）。
【先行技術文献】
【特許文献】
【０００４】
【特許文献１】特開２０１１−６２２４５号公報
【発明の概要】
【発明が解決しようとする課題】
【０００５】
しかし、上述の従来の姿勢矯正サポーターでは、図６および図７に示すように肩ベルト３ａ，３ｂが肩の上を通った後、肩の前を通り両脇の下を通って反対側の背中に回るように引き回すため、両脇の部分が痛くなるおそれがあるという問題があった。
【０００６】
そのため、この従来の姿勢矯正サポーターでは、肩ベルト３ａ，３ｂにパッド部ト３４ａ，３４ｂを設けているものの、姿勢を矯正するため肩ベルト３ａ，３ｂや胸ベルト４ａ，４ｂに強力なバンドを使用しているため、肩ベルト３ａ，３ｂが両脇の下に食い込み易く、両脇の部分が痛くなる可能性が強かった。特に、ゴルフやランニング（マラソン）等の腕を振るスポーツでは、腕の振りに応じて肩ベルト３ａ，３ｂが少しずつ伸縮等を繰り返して両脇の下に食い込み易かった。
【０００７】
そこで、本発明はこのような問題に着目してなされたもので、肩ベルトで両脇部分が痛くならずに動きやすさを提供しながら姿勢を矯正できる姿勢矯正サポーターを提供することを目的とする。
【課題を解決するための手段】
【０００８】
上記課題を解決するため、本発明の姿勢矯正サポーターは、人体の肩部より胸部または腹部の間で装着される姿勢矯正サポーターであって、装着時に使用者の背中に当たる内側背当て部と、前記内側背当て部の上面側に設けられ、前記内側背当て部との間で、中央両側には中央ベルト挿通窓が形成される一方、下部両側には下部ベルト挿通窓が形成された表側背当て部と、前記内側背当て部の上部からそれぞれ左右に伸びて肩部に掛けられ、脇の下を通って前記中央ベルト挿通窓から戻り、前記内側背当て部と前記表側背当て部との間で交差して下部ベルト挿通窓から飛び出す少なくともその長手方向に伸縮自在な弾力性を有する左右の肩ベルト、前記左右の肩ベルトの表面にそれぞれ設けられ、その左右の肩ベルトの素材より柔らかい素材からなる共に、その表面が面状ファスナーのメス部（以下、面状ファスナーメス部という。）を構成するパッド部と、前記左右のパッド部間に着脱自在に取付けられ、その長手方向に伸縮自在で、左右の肩ベルトの軌道を修正する軌道修正ベルト、前記内側背当て部の下部両側にそれぞれの基部が固定され、装着時に胸部また腹部周囲に巻き付けられる左右の胸ベルトを有する。
ここで、前記パッド部の表面は、面状ファスナーのメス部から構成され、前記軌道修正ベルトは、前記左右の肩ベルト同様の素材から構成されており、その長手方向に伸縮自在な弾力性を有し、その両端部には、前記左右の肩ベルトそれぞれのパッド部表面の面状ファスナーのメス部に着脱自在な面状ファスナーのオス部が設けられていると良い。
また、前記軌道修正ベルトは、長さが異なるものが複数本用意されているとさらに良い。
また、前記左右の胸ベルトの表面は、面状ファスナーのメス部を構成しており、前記軌道修正ベルトは、前記左右のパッド部間に取付けない場合には、前記左右の胸ベルト表面の面状ファスナーのメス部に貼り付け可能であるとするとさらに良い。
さらに、前記内側背当て部は、当該姿勢矯正サポーターの使用者の肩甲骨の上を覆わないようにほぼ逆三角形（肩ベルトや胸ベルトの幅を考慮するとほぼ逆向きの変形六角形）の形状であるとさらに良い。
【発明の効果】
【０００９】
本発明の姿勢矯正サポーターによれば、左右のパッド部間に着脱自在に取付けられ、その長手方向に伸縮自在で、左右の肩ベルトの軌道を修正する軌道修正ベルトを設けたため、軌道修正ベルトによって左右の肩ベルトの軌道を修正することにより、肩ベルトが両脇の部分に食い込むことを防止できる。その結果、肩ベルトで両脇部分が痛くならずに動きやすさを提供しながら姿勢を矯正できる姿勢矯正サポーターを提供できる。
【図面の簡単な説明】
【００１０】
【図１】本発明に係る実施形態１の姿勢矯正サポーターの使用態様の一例を拡大して背中側から示す全体図である。
【図２】本発明に係る実施形態１の姿勢矯正サポーターの表面側の一例を示す正面図である。
【図３】本発明に係る実施形態１の姿勢矯正サポーターの裏面側の一例を示す背面図である。
【図４】（ａ），（ｂ）それぞれ長さの異なる軌道修正ベルトの平面図である。
【図５】（ａ），（ｂ）それぞれ長さの異なる軌道修正ベルトによる肩ベルトの軌道修正の状態を示す使用状態図である。
【図６】従来の姿勢矯正サポーターの使用態様の一例を拡大して背中側から示す全体図である。
【図７】（ａ），（ｂ）それぞれ従来の姿勢矯正サポーターの本発明に係る実施形態１の姿勢矯正サポーターの使用状態、脇の下部分を拡大して示す使用状態図である。
【発明を実施するための形態】
【００１１】
以下、本発明に係る実施形態１の姿勢矯正サポーターについて説明する。
【００１２】
実施形態１．
図１は、本発明に係る実施形態１の姿勢矯正サポーターの使用態様の一例を拡大して背中側から示す全体図、図２は本発明に係る実施形態１の姿勢矯正サポーターの表面側の一例を示す正面図、図３はその裏面側の一例を示す背面図である。
である。
【００１３】
図１に示すように、実施形態１の姿勢矯正サポーターは、人体の肩部より胸部または腹部に装着される姿勢矯正サポーターであって、主に、内側背当て部１と、表側背当て部２と、左右の肩ベルト３ａ，３ｂと、左右の胸ベルト４ａ，４ｂと、左右のパッド部５ａ，５ｂと、長さの異なる軌道修正ベルト６１，６２とを有する。
【００１４】
内側背当て部１は、装着時に使用者の背中に当たる部分で、ポリエステルやポリウレタン等の柔らかいメッシュ生地により構成されている。内側背当て部１は、表側背当て部としての表側背当て部２と同様に、姿勢矯正サポーターの使用者Ｍの左右の肩甲骨Ｍ１、Ｍ１の上を覆わずに肩甲骨Ｍ１、Ｍ１の動きを邪魔しないようほぼ逆三角形（肩ベルト３ａ，３ｂや胸ベルト４ａ，４ｂの幅を考慮するとほぼ逆向きの変形六角形）の形状をしている。
【００１５】
表側背当て部２は、ほとんど伸びのないナイロンの織糸により内側背当て部１よりも粗い目のメッシュ状に編み込まれたもので、内側背当て部１の上面、すなわち内側背当て部１の外側に設けられ、内側背当て部１の周囲と数箇所が縫い付けられて固定されており、内側背当て部１より強固な素材からなるものである。
【００１６】
そして、内側背当て部１と表側背当て部２の上部では、表側背当て部２と内側背当て部１の間で左右の肩ベルト３ａ，３ｂが交差し、左右の肩ベルト３ａ，３ｂと内側背当て部１と表側背当て部２との間に縫いつけられている。なお、内側背当て部１と表側背当て部２の上部は姿勢矯正サポーターの使用者Ｍの左右の肩甲骨Ｍ１、Ｍ１の間に位置するように構成されている。
【００１７】
これにより、ゴルフやランニング（マラソン）等の腕を振るスポーツを行うときにこの姿勢矯正サポーターを使用しても、使用者Ｍの左右の肩甲骨Ｍ１、Ｍ１の上に内側背当て部１と表側背当て部２が被さらないので、これらのスポーツを行うときでも、無理なくこの姿勢矯正サポーターを使用できる。
【００１８】
また、内側背当て部１と表側背当て部２の中央両側には、中央ベルト挿通窓１２ａ，１２ｂが形成されている一方、下部両側には下部ベルト挿通窓１３ａ，１３ｂが形成されている。なお、図において１６ａ，１６ｂと１７ａ，１７ｂは、それぞれ、下部ベルト挿通窓１３ａ，１３ｂと中央ベルト挿通窓１２ａ，１２ｂとを形成するための縫い目である。
【００１９】
左右の肩ベルト３ａ，３ｂは、図１および図２に示すようにそれらの基部が上述したように内側背当て部１と表側背当て部２の上部に交差して重なった状態で縫い付けられて取り付けられている。そのため、ゴルフやランニング（マラソン）等の腕を振るスポーツを行うときにこの姿勢矯正サポーターを使用しても、左右の肩ベルト３ａ，３ｂの基部がずれることがなくなり、腕を振るスポーツに最適である。
【００２０】
また、左右の肩ベルト３ａ，３ｂの先端部の裏側および表側には、それぞれ、図２および図３に示すようにマジックテープ（登録商標）等の面状ファスナーオス部３２ａ，３２ｂおよび面状ファスナーメス部３１ａ，３１ｂが縫い付けられている。そのため、左右の肩ベルト３ａ，３ｂの先端部の裏側の面状ファスナーオス部３２ａ，３２ｂをそれぞれ左右の胸ベルト４ａ，４ｂの表面側の面状ファスナーメス部４１ａ，４１ｂに留めることができると共に、軌道修正ベルト６１，６２を使用しない場合には、左右の胸ベルト４ａ，４ｂの表面側の面状ファスナーメス部４１ａ，４１ｂや左右の肩ベルト３ａ，３ｂの先端部の表側の面状ファスナーメス部３１ａ，３１ｂに軌道修正ベルト６１，６２の両側の面状ファスナーオス部６１ａ，６１ｂ、６２ａ，６２ｂを貼り付けることができる。
【００２１】
なお、左右の肩ベルト３ａ，３ｂおよび軌道修正ベルト６１，６２は、それぞれ、強力ゴムがメッシュ状に編み込まれた弾性メッシュ生地により構成されている。これにより、肩ベルト３ａ，３ｂは、それぞれ、胸ベルト４ａ，４ｂより強い弾性力を有することになり、この強い弾性力により背筋を伸ばす矯正力を発揮する。
【００２２】
ここで、左右の肩ベルト３ａ，３ｂの弾性メッシュ生地の網目と、表側背当て部２のメッシュ状の網目の大きさを比較すると、本実施形態では、表側背当て部２のメッシュ状の網目のほうが大きい。これは、表側背当て部２の下には、内側背当て部１が設けられており、内側背当て部１が当たる背中は汗をかき易い場所だからである。
【００２３】
そして、左右の肩ベルト３ａ，３ｂは、内側背当て部１と表側背当て部２との間の上部からそれぞれ両肩の方向に延びて、使用者Ｍの肩部に掛けられ両脇の前を通り、脇の下を通って中央ベルト挿通窓１２ｂ，１２ａから戻り、再度、内側背当て部１と前記表側背当て部との間で交差して下部ベルト挿通窓１３ａ，１３ｂから飛び出すように結ばれる。
【００２４】
つまり、肩ベルト３ａは、内側背当て部１と表側背当て部２との間の上部の頂点から延び、それぞれ肩部に掛けられ、脇の下を通り、中央ベルト挿通窓１２ｂから戻り、再度、下部ベルト挿通窓１３ａから飛び出す一方、肩ベルト３ｂは、内側背当て部１と表側背当て部２との間の上部の頂点から延び、それぞれ肩部に掛けられ、脇の下を通り、中央ベルト挿通窓１２ａから戻り、再度、下部ベルト挿通窓１３ｂから飛び出すことになる。
【００２５】
また、内側背当て部１と側背当て部としての表側背当て部２とは、図１〜図３に示すように共に姿勢矯正サポーターの使用者Ｍの左右の肩甲骨Ｍ１、Ｍ１の上を覆わずに肩甲骨Ｍ１、Ｍ１の動きを邪魔しないようほぼ逆三角形（肩ベルトや胸ベルトの幅を考慮するとほぼ逆向きの変形六角形）の形状をしているため、ゴルフやランニング（マラソン）等の腕を振るスポーツを行うときにこの姿勢矯正サポーターを使用しても、使用者Ｍの左右の肩甲骨Ｍ１、Ｍ１の上に内側背当て部１と表側背当て部２が被さらず、腕や肩甲骨Ｍ１、Ｍ１の動きを邪魔しないので、これらのスポーツを行うときでも、無理なくこの姿勢矯正サポーターを使用できる。
【００２６】
また、左右の胸ベルト４ａ，４ｂの表面側は、図２に示すように、その周縁を除いて、すべて面状ファスナーのメス側となる面状ファスナーメス部４１ａ，４１ｂが設けられている。そのため肩ベルト３ａ，３ｂ先端裏面側には、面状ファスナーのオス側となる面状ファスナーオス部３２ａ，３２ｂが設けられており、その面状ファスナーオス部３２ａ，３２ｂが、左右の胸ベルト４ａ，４ｂの表面側のどの位置でも止められるように構成されている。
【００２７】
また、後述するように異なる長さの軌道修正ベルト６１，６２の両端部には、面状ファスナーオス部６１ａ，６１ｂ、６２ａ，６２ｂを設けているため、軌道修正ベルト６１，６２を左右のパッド部５ａ，５ｂ間に取付けない場合には、左右の胸ベルト４ａ，４ｂの表面の面状ファスナーメス部４１ａ，４１ｂに貼り付けることができる。これにより、軌道修正ベルト６１，６２を使用しない場合に、胸ベルト４ａ，４ｂの表面に貼り付けておくことにより、紛失を防止できる。
【００２８】
また、図１〜図３に示すように、肩ベルト３ａ，３ｂの肩上部から胸側には、それぞれ長手方向２０ｃｍ以上の長さを有し、表面側が面状ファスナーメス部からなるパッド部５ａ，５ｂを縫い付けて設けている。ここで、左右のパッド部５ａ，５ｂは、それぞれ左右の肩ベルト３ａ，３ｂの表面にそれぞれ設けられもので、その左右の肩ベルト３ａ，３ｂの素材より柔らかい素材からなる共に、その表面が面状ファスナーメス部を構成している。
【００２９】
また、パッド部５ａ，５ｂは、肩ベルト３ａ，３ｂの裏側では、図２に示すように肩ベルト３ａ，３ｂの幅方向全体を覆うように縫い付ける一方、肩ベルト３ａ，３ｂの表側では、肩ベルト３ａ，３ｂの裏側から折り返したパッド部５ａ，５ｂが図３に示すように肩ベルト３ａ，３ｂの幅方向の１／２程度まで覆うように縫い付けている。そのため、パッド部５ａ，５ｂが肩ベルト３ａ，３ｂの表側および裏側の全てを覆わないので、パッド部５ａ，５ｂで覆われていない肩ベルト３ａ，３ｂの表面側の１／２の部分から汗などを蒸散させることができる。なお、パッド部５ａ，５ｂは、肩ベルト３ａ，３ｂの表面側の１／２だけではなく、肩ベルト３ａ，３ｂの表面全てを覆うように設けても良い。
【００３０】
図４（ａ），（ｂ）は、それぞれ長さの異なる軌道修正ベルト６１，６２の平面図である。
【００３１】
図４（ａ），（ｂ）に示すように、軌道修正ベルト６１，６２は左右の肩ベルト３ａ，３ｂと同様の素材から構成されており、その長手方向に伸縮自在な弾力性を有する。軌道修正ベルト６１，６２の両端部には、左右の肩ベルト３ａ，３ｂそれぞれのパッド部５ａ，５ｂの表面の面状ファスナーメス部に着脱自在な面状ファスナーオス部６１ａ，６１ｂ、６２ａ，６２ｂが設けられており、左右のパッド部５ａ，５ｂ間に着脱自在に取付けられて、左右の肩ベルト３ａ，３ｂの軌道を修正する。なお、軌道修正ベルト６１の長手方向全体の長さは約３０ｃｍ、軌道修正ベルト６２の長手方向全体の長さは約２２ｃｍとしている。
【００３２】
図５（ａ）は、長い方の軌道修正ベルト６１を使用して左右の肩ベルト３ａ，３ｂの軌道を修正した状態を示し、図５（ｂ）は、短い方の軌道修正ベルト６２を使用して左右の肩ベルト３ａ，３ｂの軌道を修正した状態を示している。
【００３３】
図５（ａ），（ｂ）から明らかなように長い方の軌道修正ベルト６１を使用し他場合よりも、短い方の軌道修正ベルト６２を使用した場合の方が、左右の肩ベルト３ａ，３ｂが使用者Ｍの脇の下から離れた軌道を通ることになる。
【００３４】
また、図５（ａ），（ｂ）共に、軌道修正ベルト６１，６２をそれぞれ肩ベルト３ａ，３ｂの両側の面状ファスナーオス部６１ａ，６１ｂ、６２ａ，６２ｂを、肩ベルト３ａ，３ｂの裏側の面状ファスナーメス部で構成されたパッド部５ａ，５ｂに貼り付けている。ここで、パッド部５ａ，５ｂは、肩ベルト３ａ，３ｂの裏側では図２に示すように肩ベルト３ａ，３ｂの幅方向全体を覆うように縫い付けられているため、肩ベルト３ａ，３ｂの表側の幅方向の１／２程度まで覆ったパッド部５ａ，５ｂに貼り付ける場合よりも、確実に貼り付けることが可能になる。その結果、肩ベルト３ａ，３ｂの軌道をより確実に修正することができる。なお、軌道修正ベルト６１，６２をそれぞれ肩ベルト３ａ，３ｂの表側のパッド部５ａ，５ｂに貼り付けても勿論良い。
【００３５】
従って、この姿勢矯正サポーターによれば、軌道修正ベルト６１，６２を有するため、体格の異なる使用者Ｍが使用しても左右の肩ベルト３ａ，３ｂの軌道を修正できる。その結果、肩ベルト３ａ，３ｂで両脇部分が痛くならずに動きやすさを提供しながら姿勢を矯正できる姿勢矯正サポーターを提供できる。
【００３６】
特に、この姿勢矯正サポーターでは、長さの異なる軌道修正ベルト６１，６２を有しているため、使用者Ｍの体格に合わせて左右の肩ベルト３ａ，３ｂの軌道を修正できる。
【００３７】
また、この姿勢矯正サポーターでは、異なる長さの軌道修正ベルト６１，６２の両端部には、面状ファスナーオス部６１ａ，６１ｂ、６２ａ，６２ｂを設けており、左右の胸ベルト４ａ，４ｂの表面は、面状ファスナーメス部を構成しているため、軌道修正ベルト６１，６２を左右のパッド部５ａ，５ｂ間に取付けない場合には、左右の胸ベルト４ａ，４ｂの表面の面状ファスナーメス部に貼り付けることができる。これにより、軌道修正ベルト６１，６２を使用しない場合に、胸ベルト４ａ，４ｂの表面に貼り付けておくことにより、紛失を防止できる。
【００３８】
また、この姿勢矯正サポーターでは、内側背当て部１および表側背当て部２は、姿勢矯正サポーターの使用者Ｍの肩甲骨Ｍ１，Ｍ１の上を覆わずに肩甲骨Ｍ１、Ｍ１の動きを邪魔しないように、従来（特開２０１１−６２２４５号公報）の姿勢矯正サポーターの内側背当て部および表側背当て部よりも小さくすると共に、ほぼ逆三角形（肩ベルト３ａ，３ｂや胸ベルト４ａ，４ｂの幅を考慮するとほぼ逆向きの変形六角形）の形状であるため、ゴルフや野球、ランニング（マラソン）等のスポーツを使用する際に使用しても、肩ベルト３ａ，３ｂが使用者Ｍの脇の下に食い込まず、また使用者Ｍの肩甲骨Ｍ１の動きを妨げない。その結果、この姿勢矯正サポーターは腕を動かすスポーツに最適である。
【００３９】
なお、上記実施形態の姿勢矯正サポーターでは、異なる長さの軌道修正ベルト６１，６２を２本設けて説明したが、本発明では、これに限らず、軌道修正ベルト６１が一本でも勿論良いし（長さが調整できなくても、金具等により長さが調整できてもどちらでも良い。）、あるいは長さの異なる３本以上の軌道修正ベルトでも勿論良い。
【符号の説明】
【００４０】
１  内側背当て部
２  表側背当て部
３ａ，３ｂ  肩ベルト
４ａ，４ｂ  胸ベルト。
１２ａ，１２ｂ  中央ベルト挿通窓
１３ａ，１３ｂ  下部ベルト挿通窓
３１ａ，３１ｂ  肩ベルトの面状ファスナーオス部
４１ａ，４１ｂ  胸ベルトの面状ファスナーメス部
４２ｂ  胸ベルトの面状ファスナーオス部
５ａ，５ｂ  パッド部
６１，６２  軌道修正ベルト
６１ａ，６１ｂ、６２ａ，６２ｂ  面状ファスナーオス部
【図１】
2014204777.tif 000003
【図２】
2014204777.tif 000004
【図３】
2014204777.tif 000005
【図４】
2014204777.tif 000006
【図５】
2014204777.tif 000007
【図６】
2014204777.tif 000008
【図７】
2014204777.tif 000009